(57)【特許請求の範囲】
【請求項１】
照明器具の外殻をなす器具本体と、無電極放電灯と、前記無電極放電灯の周囲に保持された誘導コイルと、前記誘導コイルに接続され高周波電力を前記誘導コイルに供給する高周波電源回路部とを備える照明器具において、前記器具本体は、器具本体の開放部分を閉じる蓋体を含んで構成され、蓋体に誘導コイルを固定するとともに、前記高周波電源回路部と誘導コイルを電気的に接続するためのリード部に脱着可能な接続部を設けることによって、前記器具本体と前記誘導コイルとを一体構造としたことを特徴とする照明器具。
【発明の詳細な説明】
【０００１】
【発明の属する技術分野】
本発明は、無電極放電灯用の照明器具に関するものである。
【０００２】
【従来の技術】
無電極放電灯用の照明器具は、無電極放電灯の周囲に設けられた誘導コイルに高周波電流を流すことにより、高周波電磁界を生じさせ、無電極放電灯を点灯させるものである。
【０００３】
以下、従来技術（例として、特許第2798857号公報参照）を図１０により説明する。
【０００４】
照明器具１００は、器具収納部３００、無電極放電灯４００、高周波電源回路部５００、誘導コイル６００、リード部７００及び蓋体８００より構成されている。
【０００５】
無電極放電灯４００は、不活性ガス、金属蒸気等の放電ガスが封入されて形成され、器具収納部３００内の略中央部に設けられている。高周波電源回路部５００は、器具収納部３００内の断面コ字状の底面に固定され、高周波電流出力端にリード部７００が接続されて構成されている。誘導コイル６００は、前記無電極放電灯４００の周囲に近接して設けられ、前記リード部７００に接続して保持されるように構成されている。
【０００６】
このような照明器具１００において、図示しない交流主電源より電力が供給されると、高周波電源回路部５００より発生した高周波電流がリード部７００を通して誘導コイル６００に出力され、誘導コイル６００により発生した高周波電磁界が無電極放電灯４００に印加されることにより点灯する。
【０００７】
また、光の屈折角度、反射角度等の最適設計を行なうことにより、誘導コイル６００での光束の低下を抑えている。
【０００８】
【発明が解決しようとする課題】
しかし、上記の従来技術において、誘導コイル６００はリード部７００によって片側からのみ吊り下げられる形で保持されているため、誘導コイル６００がそれ自身の重さにより、所望の特性が得られるように設計された当初の位置から徐々に下がってしまうおそれがあり、無電極放電灯４００の周囲の所定位置に、誘導コイル６００を保持することが困難となっていた。その結果、無電極放電灯４００に所定の高周波電磁界の特性を提供することが難しくなり、長期間の安定した点灯維持に支障をきたすという問題があった。
【０００９】
また、不点灯等となった無電極放電灯４００の交換を行なう際には、無電極放電灯４００と誘導コイル６００とが一体に構成されているので、その無電極放電灯４００だけでなく、余分に誘導コイル６００も外さなければならないため、交換作業が非常に煩雑になるという問題もあった。
【００１０】
さらに、無電極放電灯４００が点灯した場合には、その発生する熱が、無電極放電灯４００の周囲の比較的近傍に設けられている誘導コイル６００を加熱し、誘導コイル６００の温度上昇が大きくなる。その結果、誘導コイル６００に余分な高温の負荷がかかり、温度特性、保持強度の劣化等、点灯維持の要素となる高周波電磁界の発生に支障をきたすという問題もあった。
【００１１】
従って、本発明の目的は、長期間安定した点灯状態の維持、無電極放電灯交換の容易化及び誘導コイルの過度な温度上昇による不具合防止するとともに、蓋体がはずれた場合の異常保護を実現する照明器具を提供することである。
【００１２】
本発明は前記目的を達成するために、請求項１記載の発明にあっては、照明器具の外殻をなす器具本体と、無電極放電灯と、前記無電極放電灯の周囲に保持された誘導コイルと、前記誘導コイルに接続され高周波電力を前記誘導コイルに供給する高周波電源回路部とを備える照明器具において、前記器具本体は、器具本体の開放部分を閉じる蓋体を含んで構成され、蓋体に誘導コイルを固定するとともに、前記高周波電源回路部と誘導コイルを電気的に接続するためのリード部に脱着可能な接続部を設けることによって、前記器具本体と前記誘導コイルとを一体構造としている。
【００１３】
請求項２記載の発明にあっては、前記高周波電源回路部と誘導コイルを電気的に接続するためのリード部に脱着可能な接続部を設けている。
【００２０】
【発明の実施の形態】
（第１の実施の形態）
本発明の第１の実施の形態を図１により説明する。
【００２１】
照明器具１は、器具本体２、器具収納部３、無電極放電灯４、高周波電源回路部５、誘導コイル６、リード部７及び蓋体８より構成されている。
【００２２】
照明器具１の外殻である器具本体２は、断面略コ字状で下面開放した金属製の器具収納部３と、透光性の材質にて形成され前記開放された下面に設けられている蓋体８とにより構成されている。無電極放電灯４は、不活性ガス、金属蒸気等の放電ガスが封入されて形成され、器具収納部３内の略中央部に設けられている。高周波電源回路部５は、器具収納部３内の断面コ字状の底面に固定され、高周波電流出力端にリード部７が接続されて構成されている。前記リード部７に接続されている誘導コイル６は、前記無電極放電灯４の周囲に近接して設けられ、器具収納部３の内側で接着等により固定されている。
【００２３】
このように、器具収納部３と誘導コイル６とが接着等により固定され一体に構成された照明器具１は、図示しない交流主電源より電力が供給されると、高周波電源回路部５より発生した高周波電流がリード部７を通して誘導コイル６に出力され、誘導コイル６により発生した高周波電磁界が無電極放電灯４に印加されることにより点灯する。
【００２４】
従って、器具収納部３と誘導コイル６とが接着等により一体に構成されることで、誘導コイル６自身の重さによる下方向への形状変化を抑えることができ、その所定位置を比較的長期間保持することができるという効果がある。
【００２５】
また、無電極放電灯４と誘導コイル６とは逆に一体に構成されていないので、無電極放電灯４の交換の際、誘導コイル６を外すという余分な作業をすることなく、容易に無電極放電灯４の交換を行なうことができるという効果もある。
【００２６】
（第２の実施の形態）
本発明の第２の実施の形態を図２により説明する。
【００２７】
先の第１の実施の形態と異なる構成は、誘導コイル４及びリード部７を器具収納部３の内側表面ではなく、器具収納部３の肉厚部３３へ埋設させている点である。なお、同一構成には同一符号を付してその説明を省略する。
【００２８】
ここで、肉厚部３３への埋設とは、高周波電源回路部５につながれたリード部７と誘導コイル６とを金属性の器具収納部３の肉厚部３３に埋め込んでしまうことである。但し、埋設する部分は、リード部７及び誘導コイル６の全部に限るものではなく、一部でも良い。
【００２９】
従って、本実施の形態では、第１の実施の形態の効果に加えて、誘導コイル６が器具収納部３の肉厚部３３に埋設されているので、誘導コイル６による光束減少を抑えることができ、照明器具としての明るさをより保つことができるという効果がある。
【００３０】
また、誘導コイル６等で発生する熱を金属製の器具収納部３で放熱することができるので、誘導コイル６の温度上昇による不具合も防止できるという効果もある。
【００３１】
（第３の実施の形態）
本発明の第３の実施の形態を図３により説明する。
【００３２】
先の第１の実施の形態と異なる構成は、器具収納部３が、その外殻を形成する金属部３１とその内側の金属部３１上に中心に向かって突出した樹脂等の非金属部３２とから構成されている点と、誘導コイル６が接着等により前記器具収納部３の非金属部３２に固定され、保持されている点の二つである。なお、同一構成には同一符号を付してその説明を省略する。
【００３３】
このように構成することにより、高周波電磁界を発生させる誘導コイル６と誘導コイル６の周囲に金属の閉ループを形成している器具収納部３との間に所定の距離を保つことができる。
【００３４】
従って、本実施の形態では、誘導コイル６を接着等により固定する器具収納部３の部分を器具収納部３の非金属部３２とし、誘導コイル６と器具収納部３との間に所定の距離を保つことで、誘導コイル６と誘導コイル６の周囲に金属の閉ループを形成している器具収納部３とで発生する高周波電磁界が互いに打ち消しにくくなる。その結果、安定した高周波電磁界を無電極放電灯４に供給し、無電極放電灯４の始動性、安定性を向上させることができるという効果がある。
【００３５】
（第４の実施の形態）
本発明の第４の実施の形態を図４により説明する。
【００３６】
先の第１の実施の形態と異なる構成は、蓋体８に雄ねじのねじ部を有する内壁８１を設け、器具収納部３の内側にも同様に雌ねじのねじ部を施して、内壁８１と器具収納部３の両方のねじ部が噛み合うことで、器具収納部３と蓋体８とがねじ止めされる点、リード部７上に着脱可能な接続部７１を設けた点及び誘導コイル６と蓋体８の内壁８１とが接着等により固定され一体に構成されている点である。なお、同一構成には同一符号を付してその説明を省略する。
【００３７】
従って、本実施の形態では、誘導コイル６と蓋体８とを接着等により固定させることにより、蓋体８が器具収納部３から外れて落下するということを防止できるという効果がある。
【００３８】
また仮に、蓋体８と器具収納部３とが外れた場合であっても、誘導コイル６はリード部７の接続部７１で切り離され、無電極放電灯４が消灯してしまうので、異常保護できるという効果もある。
【００３９】
（第５の実施の形態）
本発明の第５の実施の形態を図５により説明する。
【００４０】
先の第４の実施の形態と異なる構成は、高周波電源回路部５の略中央部に二本のリード部７及びそのリード部７に着脱可能な接続部７１を各々設け、誘導コイル６とリード部７とを接続し、さらに蓋体８に照明器具１内部に向けて立設部８２を設け、その立設部８２と前記誘導コイル６とを接着等により固定している点である。すなわち、誘導コイル６、リード部７及び蓋体８が一体に構成されていることが相違点である。なお、同一構成には同一符号を付してその説明を省略する。
【００４１】
従って、本実施の形態では、第４の実施の形態の効果に加えて、誘導コイル６をリード部７及び蓋体８の上下から保持しているので、誘導コイル６の安定性を向上させることができ、誘導コイル６の径の変化や誘導コイル６の配置変更を容易に行うことができるという効果がある。
【００４２】
（第６の実施の形態）
本発明の第６の実施の形態を図６により説明する。
【００４３】
照明器具１は、器具本体２を形成する器具収納部３と、器具本体２を形成する反射板９と、無電極放電灯４と、誘導コイル６と、リード部７と、器具収納部３に収納され図示を省略した高周波電源回路部５とから構成されている。
【００４４】
無電極放電灯４は、器具収納部３の上端に上方に向かって取り付けられている。誘導コイル６は、前記無電極放電灯４の周囲に近接して設けられている。リード部７は前記誘導コイル６に接続されている。反射板９は、前記無電極放電灯４及び誘導コイル６の外側に上方より包むように設けられ、接着等により誘導コイル６へ固定されている。すなわち、誘導コイル６と反射板９とは一体に構成されている。器具収納部３と誘導コイル６とはリード部７で接続し、固定されている。
【００４５】
従って、誘導コイル６と反射板９とが一体に構成されていることで、誘導コイル６がそれ自身の重さによる所望の特性が得られるように設計された当初の位置の移動を抑えることができ、誘導コイル６の安定性を向上させることができるという効果がある。
【００４６】
また、反射板９を無電極放電灯４の周囲に設けることで、光束の低下を防止することができ、目的の方向へ集光させることができるという効果もある。
【００４７】
（第７の実施の形態）
本発明の第７の実施の形態を図７により説明する。
【００４８】
先の第６の実施の形態と異なる構成は、誘導コイル６が反射板９の外側に接着等により固定され、誘導コイル６と反射板９とが一体に構成されている点である。なお、同一構成には同一符号を付してその説明を省略する。
【００４９】
従って、本実施の形態では、第６の実施の形態の効果に加えて、反射板９が、誘導コイル６の内側に設けることで、光束の低下を防止することができるという効果がある。
【００５０】
（第８の実施の形態）
本発明の第８の実施の形態を図８により説明する。
【００５１】
先の第６の実施の形態と異なる構成は、誘導コイル６が、無電極放電灯４の周囲に円錐状に巻回し、反射板としての役割を持たせた形状で設けられている点である。なお、同一構成には同一符号を付してその説明を省略する。
【００５２】
従って、本実施の形態では、誘導コイル６を無電極放電灯４の周囲に円錐状に巻回して設けることで、新たな部品（反射板）を設けることなく、光束の低下を防止することができるという効果がある。
【００５３】
（第９の実施の形態）
本発明の第９の実施の形態を図９により説明する。
【００５４】
先の第６の実施の形態と異なる構成は、誘導コイル６を無電極放電灯４の周囲にだけでなく、その近傍にも一巻分を設けている点である。なお、同一構成には同一符号を付してその説明を省略する。
【００５５】
従って、本実施の形態では、第６の実施の形態の効果に加えて、無電極放電灯４の近傍に誘導コイル６を設けることで、無電極放電灯４と誘導コイル６との電磁界結合度を増大させることができ、無電極放電灯４の始動性を向上させることができるという効果がある。
【００５６】
【発明の効果】
このように本発明は、以下のような効果がある。
【００５７】
請求項１記載の発明は、照明器具の外殻をなす器具本体と、無電極放電灯と、前記無電極放電灯の周囲に保持された誘導コイルと、前記誘導コイルに接続され高周波電力を前記誘導コイルに供給する高周波電源回路部とを備える照明器具において、前記器具本体は、器具本体の開放部分を閉じる蓋体を含んで構成され、蓋体に誘導コイルを固定するとともに、前記高周波電源回路部と誘導コイルを電気的に接続するためのリード部に脱着可能な接続部を設けることによって、前記器具本体と前記誘導コイルとを一体構造としたことで、誘導コイルの所定位置を比較的長時間保持することができ、無電極放電灯と誘導コイルとは逆に一体に構成されていないので、無電極放電灯の交換を容易に行うことができるという効果がある。更に蓋体が器具収納部から外れて落下するということを防止できるという効果とともに、仮に、蓋体と器具収納部とが外れた場合であっても、無電極放電灯が消灯してしまうので、異常保護できるという効果もある。
【図面の簡単な説明】
【図１】  本発明の照明器具の第１の実施の形態を示す側面図である。
【図２】  本発明の照明器具の第２の実施の形態を示す側面図である。
【図３】  本発明の照明器具の第３の実施の形態を示す側面図である。
【図４】  本発明の照明器具の第４の実施の形態を示す側面図である。
【図５】  本発明の照明器具の第５の実施の形態を示す側面図である。
【図６】  本発明の照明器具の第６の実施の形態を示す側面図である。
【図７】  本発明の照明器具の第７の実施の形態を示す側面図である。
【図８】  本発明の照明器具の第８の実施の形態を示す側面図である。
【図９】  本発明の照明器具の第９の実施の形態を示す側面図である。
【図１０】  従来技術を示す側面図である。
【符号の説明】
１  照明器具
２  器具本体
３  器具収納部
４  無電極放電灯
５  高周波電源回路部
６  誘導コイル
７  リード部
８  蓋体
【図１】
0003924977.tif 000002
【図２】
0003924977.tif 000003
【図３】
0003924977.tif 000004
【図４】
0003924977.tif 000005
【図５】
0003924977.tif 000006
【図６】
0003924977.tif 000007
【図７】
0003924977.tif 000008
【図８】
0003924977.tif 000009
【図９】
0003924977.tif 000010
【図１０】
0003924977.tif 000011